(57)【要約】【課題】  信号線を介して接続された照明装置の種別を検出することができる調光装置を提供する。【解決手段】  照明装置は、電源投入後に、照明装置の種別毎に決まった短絡時間にわたって２線式の信号線２を短絡する。調光装置１の制御部１４は、信号線２に接続された通信部１２が有する短絡検出部の出力に基づいて信号線２の短絡を検出し、検出された短絡の継続時間を記憶部１３に格納されたデータと照合して照明装置の種別を検出し、表示部１５を制御して検出された照明装置の種別を表示させる。信号線２に接続された照明装置の種別が検出されて表示部１５に表示されることにより、使用者は表示部１５への表示を見て照明装置の誤接続を知って適切な対応を行うことができるから、照明システムの保守性が向上する。【選択図】図１
2008153027.tif 000002
【特許請求の範囲】
【請求項１】
２線式の信号線に接続されて信号線から入力された調光信号に応じた光出力で光源を点灯させる点灯部、並びに、照明装置の種別毎に定められた短絡時間にわたって信号線を構成する２線間を短絡する短絡動作を所定のタイミングで行う短絡部をそれぞれ有する少なくとも１個の照明装置がそれぞれ接続された少なくとも１組の２線式の信号線に接続される調光装置であって、
信号線の組毎に設けられて信号線を介して接続された各照明装置に対してそれぞれ光源の光出力を指示する調光信号を送信する送信部と、信号線の組毎に調光信号を生成するとともに生成した調光信号を送信部を制御して送信させる制御部と、信号線の組毎に設けられて信号線を構成する２線間の短絡を定期的に検出する短絡検出部と、制御部によって制御されて視覚と聴覚との少なくとも一方による使用者への通知を行う通知部とを有し、
制御部は、いずれかの信号線を構成する２線間において短絡検出部により短絡が連続して検出されている間は該信号線への調光信号の送信を停止させるとともに、該短絡が検出されなくなるまでに該短絡が連続して検出された回数に基づいて該信号線に接続された照明装置の種別を検出し、通知部を制御して検出された照明装置の種別を使用者に通知させることを特徴とする調光装置。
【発明の詳細な説明】
【技術分野】
【０００１】
本発明は、調光装置に関するものである。
【背景技術】
【０００２】
従来から、２線式の信号線を介して照明装置に接続される調光装置が提供されている（例えば、特許文献１参照）。
【０００３】
照明装置は、信号線を介して調光装置から送信される調光信号に応じた光出力で光源を点灯させる。光源として発光ダイオードや蛍光灯が用いられる場合には調光信号としてＰＷＭ信号が用いられ、光源として白熱灯が用いられる場合には調光信号として位相信号が用いられることが多い。また、調光信号としてＰＷＭ信号が用いられる場合であっても、その調光信号が入力されたときの光出力の定格点灯時の光出力に対する比（以下、「調光比」と呼ぶ）とＰＷＭ信号のデューティ比との関係は、例えば図５に示すように光源が白熱灯であれば直線Ａのようになり、光源が蛍光灯であれば直線Ｂのようになり、光源が発光ダイオードであれば曲線Ｃのようになるといったように、光源の種類によって異なる。
【０００４】
そこで、用いる光源が互いに異なる複数種類の照明装置を用いる場合には、図６に示すように、各照明装置３をそれぞれ用いられる調光信号が互いに共通な照明装置３のみからなる複数個（図６では４個）のグループにグループ分けするとともに、照明装置３のグループ毎に別々の信号線２を介して調光装置１に接続していた。各照明装置３はそれぞれ信号線２に例えばマルチドロップ接続される。すなわち、共通の信号線２に接続された（つまり、同じグループに属する）全ての照明装置３は一括して制御されるのであって、照明装置３の制御はグループ単位で行われ、グループ毎に互いに独立した制御が可能である。照明装置３は、グループ毎に異なる領域Ｚ１〜Ｚ４に配置されることが多い。
【特許文献１】特開２００２−１３４２８０号公報
【発明の開示】
【発明が解決しようとする課題】
【０００５】
従来は、信号線２に接続された照明装置３の種別に応じた調光信号を送信するように調光装置１に設定する作業を、信号線２毎に予め行っておく必要があった。しかし、設定を誤っていれば、照明装置３を意図された光出力で点灯させることができない。照明装置３が意図された光出力で点灯しない場合、その原因としては上記設定の誤り又は照明装置３の誤接続の他、照明装置３の故障も考えられるが、従来は、上記のいずれが原因か特定することが難しく、対処に時間がかかることがあった。
【０００６】
本発明は、上記事由に鑑みて為されたものであり、その目的は、照明装置の種別を検出することができる調光装置を提供することにある。
【課題を解決するための手段】
【０００７】
本発明は、２線式の信号線に接続されて信号線から入力された調光信号に応じた光出力で光源を点灯させる点灯部、並びに、照明装置の種別毎に定められた短絡時間にわたって信号線を構成する２線間を短絡する短絡動作を所定のタイミングで行う短絡部をそれぞれ有する少なくとも１個の照明装置がそれぞれ接続された少なくとも１組の２線式の信号線に接続される調光装置であって、信号線の組毎に設けられて信号線を介して接続された各照明装置に対してそれぞれ光源の光出力を指示する調光信号を送信する送信部と、信号線の組毎に調光信号を生成するとともに生成した調光信号を送信部を制御して送信させる制御部と、信号線の組毎に設けられて信号線を構成する２線間の短絡を定期的に検出する短絡検出部と、制御部によって制御されて視覚と聴覚との少なくとも一方による使用者への通知を行う通知部とを有し、制御部は、いずれかの信号線を構成する２線間において短絡検出部により短絡が連続して検出されている間は該信号線への調光信号の送信を停止させるとともに、該短絡が検出されなくなるまでに該短絡が連続して検出された回数に基づいて該信号線に接続された照明装置の種別を検出し、通知部を制御して検出された照明装置の種別を使用者に通知させることを特徴とする。
【発明の効果】
【０００８】
本発明によれば、信号線に接続された照明装置の種別が検出されて使用者に通知されるので、使用者は表示部への表示を見て照明装置の誤接続を知ることができ、例えば照明装置の交換などの適切な対処を行うことができるから、照明システムの保守性が向上する。
【発明を実施するための最良の形態】
【０００９】
以下、本発明を実施するための最良の形態について、図面を参照しながら説明する。
【００１０】
本実施形態は、図１に示すように、外部からの指令が入力される入力部１１と、それぞれ信号線２を介して照明装置３に接続される複数個の通信部１２と、例えばＥＥＰＲＯＭのような不揮発性メモリからなり照明装置３の制御に用いられるデータが格納される記憶部１３と、入力部１１に入力された指令と記憶部１３に格納されたデータとに基づいて信号線２毎に調光信号を生成するとともに生成した調光信号を該信号線２に接続された通信部１２を制御して送信させる制御部１４と、例えば液晶パネルからなり制御部１４に制御されて各種の状態を表示する通知部としての表示部１５とを備える。
【００１１】
入力部１１は、例えば赤外光を受光するフォトダイオードを有して赤外光を媒体としたワイヤレス信号により指令が入力されるものであってもよいし、操作入力を受け付ける押釦やロータリスイッチ等の入力手段を有して操作入力によって指令が入力されるものであってもよい。
【００１２】
記憶部１３には、入力部１１に入力される指令と調光比との対応関係を示すテーブル、並びに、調光比と生成すべき調光信号との対応関係を示すテーブルが格納されている。１個の指令に対して実行される制御としては、１本の信号線２に対してのみ調光信号を送信する個別制御の他、該指令に対して信号線２毎に予め設定された調光比を指示する調光信号を各信号線２にそれぞれ送信するシーン制御がある。
【００１３】
信号線２は、グランドに接続される接地側線２１（図３参照）と、接地側線２１に対して調光信号に応じた電圧が加えられる電圧側線２２（図３参照）とからなる。調光信号は、例えばＰＷＭ信号である。
【００１４】
照明装置３は、図２に示すように光源４を点灯させる点灯部３１を備える。光源４は例えば白熱灯や蛍光灯や発光ダイオードであり、点灯部３１は例えば商用電源から供給された交流電力を光源４を点灯させるための電力に変換するものである。このような光源４や点灯部３１は周知技術で実現可能であるので、図示並びに詳細な説明は省略する。
【００１５】
また、照明装置３は、信号線２を構成する接地側線２１と電圧側線２２との間に接続された例えばトランジスタのような半導体スイッチからなる短絡部３２と、例えばＥＥＰＲＯＭのような不揮発性メモリからなる記憶部３３と、記憶部３３に予め格納された短絡データに基づいて短絡部３２をオンオフ制御する短絡制御部３４とを備える。具体的には例えば短絡データは短絡部３２をオンする時間（以下、「短絡時間」と呼ぶ。）であって、短絡制御部３４は照明装置３の電源が投入されてから短絡時間が経過するまで短絡部３２をオンして信号線２を短絡し、短絡時間の経過後に短絡部３２をオフする。
【００１６】
さらに、調光装置１の各通信部１２は、それぞれ、図３に示すように、電圧側線２２に接続されて調光信号を送信する送信部１２ａに加え、接地側線２１に接続されて信号線２の短絡を検出する短絡検出部１２ｂを備える。
【００１７】
送信部１２ａは、定電圧源Ｖ１と電圧側線２２との間に接続された例えばＰＮＰ型のトランジスタからなるスイッチング素子Ｑ１と、制御部１４によって制御されてスイッチング素子Ｑ１をオンオフ駆動するドライブ回路１２ｃとを備える。
【００１８】
短絡検出部１２ｂは、ベースがダイオードＤ１を介して接地側線２１に接続されるとともにエミッタがグランドに接続されコレクタが抵抗Ｒ１を介して制御部１４に接続されたＮＰＮ型のトランジスタＱ２を備える。抵抗Ｒ１とトランジスタＱ２との接続点は、抵抗Ｒ２を介して定電圧源Ｖ２に接続されている。すなわち、信号線２に短絡が生じている期間に送信部１２ａの出力がＨレベルとなると、トランジスタＱ２がオンされ、短絡検出部１２ｂの出力はＬレベルとなる。これに対し、信号線２に短絡が生じていない、又は、信号線２に短絡が生じていても送信部１２ａの出力がＬレベルであるときには、トランジスタＱ２はオフされ、短絡検出部１２ｂの出力はＨレベルとなる。
【００１９】
制御部１４は、少なくとも調光信号がＨレベルとなる期間には短絡検出部１２ｂの出力を監視しており、図４に示すように、いずれかの信号線２において短絡検出部１２ｂによって短絡が検出されたとき（すなわち、短絡検出部１２ｂの出力がＬレベルとなったとき）には、その信号線２に関して、調光信号を出力する通常動作から、調光信号を出力せず短絡の継続時間を計時する検出動作に移行する。
【００２０】
検出動作においては、通常動作において調光信号を送信していたタイミングで送信部１２ａを制御して調光信号よりも短時間だけ送信部１２ａの出力をＨレベルとし、この間、短絡検出部１２ｂの出力を監視するといった動作を定期的に繰り返し、送信部１２ａの出力をＨレベルとしている間に短絡検出部１２ｂの出力がＨレベルのままであれば（つまり短絡時間が終了していれば）、検出動作を終了して通常動作に復帰する。そして、通常動作に復帰するまでの間、短絡検出部１２ｂの出力がＬレベルとなった回数を計数することにより短絡時間を計時する。
【００２１】
ここで、短絡時間は、照明装置３の種別毎に、上記検出動作において計数される回数が異なる程度に短絡時間を異ならせてある。例えば、白熱灯を光源とする照明装置３であれば短絡が３回検出され、白色の発光ダイオードを光源とする照明装置３であれば短絡が７回検出され、電球色の発光ダイオードを光源とする照明装置３であれば短絡が１０回検出され、ＲＧＢ型の発光ダイオードを光源とする照明装置３であれば短絡が１４回検出されるように、それぞれ短絡時間が設定されている。従って、調光装置１では、検出動作において計数される回数に基づいて、その信号線２に接続された照明装置３の種別を検出することができる。
【００２２】
すなわち、調光装置１の記憶部１３には、検出動作において計数される回数と、照明装置３の種別との対応関係が格納されている。制御部１４は、検出動作の終了時に、検出動作を行った信号線２に接続された照明装置３の種別を上記対応関係に基づいて検出し、結果を表示部１５に表示する。
【００２３】
上記構成によれば、信号線２に接続された照明装置３の種別が検出されて表示部１５に表示されるから、使用者は表示部１５への表示を見て照明装置３の誤接続を知り、例えば照明装置３の交換などの適切な対処を行うことができるから、照明システムの保守性が向上する。
【００２４】
また、短絡が検出されたときに調光信号の出力が停止され、検出動作中に短絡を検出するために送信部１２ａから出力される信号のパルス幅（出力がＨレベルとなる期間の長さ）が調光信号よりも短いことにより、調光信号の出力が継続される場合に比べて消費電力が低減される。
【００２５】
なお、通知部は上記のような視覚による通知を行う表示部１５に限られず、例えばスピーカーを有し音声を用いて聴覚による通知を行うものを表示部１５に代えて又は表示部１５とともに用いてもよい。
【００２６】
また、照明装置３が短絡動作を行うタイミングは、上記のような電源投入直後に限られず、例えば、時刻を検出する時計部（図示せず）を各照明装置３にそれぞれ設けるとともに、記憶部３３に予め格納された所定の時刻に短絡制御部３２が短絡動作を開始するようにしてもよい。
【図面の簡単な説明】
【００２７】
【図１】本発明の実施形態を示すブロック図である。
【図２】同上に接続して用いられる照明装置を示すブロック図である。
【図３】同上の要部を示す回路ブロック図である。
【図４】同上における送信部の出力と短絡検出部の出力との一例を示す波形図である。
【図５】照明装置の種別による調光信号のデューティ比と調光比との関係の違いを示す説明図である。
【図６】調光装置の使用形態の一例を示す説明図である。
【符号の説明】
【００２８】
１  調光装置
２  信号線
３  照明装置
１２  通信部
１２ａ  送信部
１２ｂ  短絡検出部
１３  記憶部
１４  制御部
１５  表示部（請求項における通知部）
３１  点灯部
３２  短絡部
【図１】
2008153027.tif 000003
【図２】
2008153027.tif 000004
【図３】
2008153027.tif 000005
【図４】
2008153027.tif 000006
【図５】
2008153027.tif 000007
【図６】
2008153027.tif 000008